(57)【要約】【課題】アフィリエイターは、限られたスペースに多くのブログの内容にあった広告を表示し、貼り付け作業、広告を選ぶ手間、申請作業などを軽減し広告主は、アフィリエイターの承認作業や広告が選ばれない弊害を受けることがないシステム。【解決手段】従来のバナー広告でなく、ＦＬＡＳＨによる広告表示する。多数の広告を広告主が設定したキーワード、カテゴリとブログ本文、ＦＬＡＳＨ下部のＢＢＳでマッチングした広告を自動で表示する。そのため、ブログ本文にそった広告表示を可能とする。貼り付け作業は、ブログパーツ一つの貼り付け作業のみでアフィリエイター登録も弊社が承認作業を行うため、アフィリエイターは一回の登録作業のみで広告主は、マッチングによる広告表示のためアフィリエイターを承認する必要がなくまた、広告をアフィリエイターに選ばれない弊害がない。【選択図】  図１
2008027010.tif 000002
【特許請求の範囲】
【請求項１】
ブログ利用者に発行したタグの貼り付けることでアフィリエイトをすることが可能になるブログパーツによるアフィリエイトシステム。貼り付けを行う際は、利用者が他社のウェブサービスを利用するか、または利用者自身でサーバースペースを用意する。弊社ブログパーツサービスでは、弊社ブログパーツサービスページを呼び出すためのＨＴＭＬダグを自動生成する。そのＨＴＭＬタグをコピー＆ペーストすることで簡単に利用できるように利用者へ提供する。（名称：貼り付け用タグ）他社ウェブサービスサービスサーバーのページのＨＴＭＬソースを編集可能な状態にして、弊社ブログパーツサービスを呼びだすＨＴＭＬタグを他社ウェブサービスのページへ貼り付け用タグを貼り付ける。他社ウェブサービスがインターネットブラウザに表示するため呼び出されると、他社ウェブサービスのＨＴＭＬタグ内に記述した弊社ブログパーツサービスのページも同時にインターネットブラウザ上に表示される。弊社ブログパーツサービスサーバー上の表示ページを変更することで、利用者は変更作業を行うことなく可変的な弊社ブログパーツサービスを受けることが可能。貼り付けられたブログパーツのＦＬＡＳＨ部分に広告主が登録したキーワード、カテゴリにマッチングする単語をブログ記事ＲＳＳ情報やＦＬＡＳＨ下部のＢＢＳとマッチングした広告を表示するアフィリエイトシステム。
【発明の詳細な説明】
【技術分野】
【０００１】
本発明は、ブログにタグを貼り付けることでアフィリエイトをすることが可能になるＦＬＡＳＨブログパーツによるアフィリエイトシステム。
【背景技術】
【０００２】
アフィリエイトは、ウェブやメールマガジンに企業サイトへのリンクを張り、ユーザがそこを経由して商品を購入すると、サイトやメールマガジンの管理者に報酬が支払われるというシステム。仕組みとしては成果保証型広告と同じだが、アフィリエイトの場合には、その商品やサービスに関連した情報を掲載するWebサイトやメールマガジンが主な対象となり、それらとインターネットショッピングサイトの間のパートナーシップの側面が強調される。企業にとっては、潜在的に商品に関心を持つ層に容易に到達できるというメリットがある。また、売上に応じて媒体側への支払い額が決まるため、ポータルサイトへのバナー掲載のように成果とは無関係に広告費が決まる他の手段に比べ、極めて費用対効果の高い広告手法と言える。従来のアフィリエイトは、１広告（アフィリエイトバナー）、１バナーの場合が多く、その外にチェンジバナーでアクセスするたびに、広告（アフィリエイトバナー）が変わるものが存在するが、アフィリエイターが広告を選び、広告主に承認してもらい始めてアフィリエイトが可能になる。いくつもの広告を貼り付けたい時は、ブログやWebサイトに一つ一つを利用者自身が広告主に対して張り付ける承認を受け、利用者自身が一つ一つ貼り付ける作業を必要とし利用者にとって不便であり、またブログやWebサイトのスペース的問題などからデザイン性を失う可能性があり利用者にとって不便である。
【発明の開示】
【発明が解決しようとする課題】
【０００３】
従来技術では、いくつもの広告（アフィリエイトバナー）を利用者自身が一つ一つ申請を行い、広告主に承認のうえ、利用者自身のWebサイトなどに利用者が手作業で貼り付ける必要があり、広告の変更も難しい。ブログやWebサイトのスペース的問題などからデザイン性を失う可能性があり利用者にとって不便である。また、広告主側もアフィリエイターの承認作業の手間が掛かり、アフィリエイターに広告を選んでもらえない弊害がある。
【０００４】
本発明では、アフィリエイターの承認作業は一回のみでブログパーツのＦＬＡＳＨ部分にブログ本文とＦＡＳＨ下部のＢＢＳと事前に広告主が設定しているキーワード、カテゴリとのマッチングにより広告が表示されるので複数の広告をブログパーツ一つの貼り付け作業のみで表示が可能である。
また、ブログパーツＦＬＡＳＨ部分での広告の表示のためスペースをとることなくブログのデザインを損なう可能性は低くなる。自動でブログの本文とＢＢＳから広告主が設定したキーワード、カテゴリからマッチングされた広告が表示されるために広告主は、アフィリエイターに選んでもらえないという弊害がなく、また、アフィリエイターを承認する手間がかからない。
【課題を解決するための手段】
【０００５】
上記課題を解決するために本発明は、ブログ利用者に発行したタグの貼り付けることでアフィリエイトをすることが可能になるブログパーツによるアフィリエイトシステムであり貼り付けを行う際は、利用者が他社のウェブサービスを利用するか、または利用者自身でサーバースペースを用意する。弊社ブログパーツサービスでは、弊社ブログパーツサービスページを呼び出すためのＨＴＭＬダグを自動生成する。そのＨＴＭＬタグをコピー＆ペーストすることで簡単に利用できるように利用者へ提供する。（名称：貼り付け用タグ）他社ウェブサービスサービスサーバーのページのＨＴＭＬソースを編集可能な状態にして、弊社ブログパーツサービスを呼びだすＨＴＭＬタグを他社ウェブサービスのページへ貼り付け用タグを貼り付ける。他社ウェブサービスがインターネットブラウザに表示するため呼び出されると、他社ウェブサービスのＨＴＭＬタグ内に記述した弊社ブログパーツサービスのページも同時にインターネットブラウザ上に表示される。弊社ブログパーツサービスサーバー上の表示ページを変更することで、利用者は変更作業を行うことなく可変的な弊社ブログパーツサービスを受けることが可能。貼り付けられたブログパーツのＦＬＡＳＨ部分に広告主が登録したキーワード、カテゴリにマッチングする単語をブログ記事ＲＳＳ情報やＦＬＡＳＨ下部のＢＢＳとマッチングした広告を表示する。ＦＬＡＳＨによる広告表示を特徴とする。
【発明の効果】
【０００６】
本発明によれば、ブログ利用者に発行したタグの貼り付けることでアフィリエイトをすることが可能になりマーチャント登録している広告主の広告をタグの張り替えなしで広告主が登録したキーワード、カテゴリにマッチングする単語をブログ記事ＲＳＳ情報やＦＬＡＳＨ下部のＢＢＳとマッチングした広告を表示することが可能で複数のバナーを貼り付け、それにともなう申請、承認の手間を省くことが可能である。
【発明を実施するための最良の形態】
【０００７】
インターネット環境のあるパソコンを保有し、利用者自身のブログを保有しており、「ＢＬＯＧ  ＣＭ  net」〜ブロコマ〜のサイトでアフィリエイターもしくは、マーチャント登録を行い、アフィリエイターは、発行されたタグをブログに貼り付けるのみでアフィリエイトが可能になる。
【実施例１】
【０００８】
まず利用者が他社のウェブサービスを利用するか、利用者が自前でサーバースペースを用意する。弊社ブログパーツサービスでは、弊社ブログパーツサービスページを呼び出すためのHTMLタグを自動生成している。そのHTMLタグをコピー＆ペーストすることで簡単に利用できるように利用者に提供する（名称：貼り付け用タグ）※HTMLタグによるインラインフレーム(ifremeタグ)や、JavaScriptによるdocument.write文を利用して弊社ブログパーツサービスのページを埋め込む。この時、他社ウェブサービスサービスサーバーのページをHTMLソースを編集可能な状態にして、弊社ブログパーツサービスを呼び出すHTMLタグを他社ウェブサービスのページへ貼り付け用タグを貼り付ける。このようにすることで、他社ウェブサービスがインターネットブラウザーに表示するため呼び出される図１（Ａ）と、他社ウェブサービスのHTMLタグ内に記述した弊社ブログパーツサービスのページ図１（Ｂ）も同時にインターネットブラウザ上図１（Ｃ）に表示されます。こうすることで、弊社ブログパーツサービスサーバー上の表示ページを変更することで、利用者は変更作業を行なうことなく可変的な弊社ブログパーツサービスを受けることが可能になる。
【図面の簡単な説明】
【０００９】
【図１】ブログパーツ貼り付けに関する図である。
【図２】アフィリエイト、ブログサイト、アバターＦＬＡＳＨの相関フローチャートである。
【図３】ショッピングサイト、アフィリエイトの相関フローチャートである。
【図２】
2008027010.tif 000003
【図３】
2008027010.tif 000004
【図１】
2008027010.tif 000005